(57)【要約】      （修正有）【課題】ガイドレールを伝わって流下する潤滑油をオイルパンに溜め、リンクを組み合わせた操作レバーを足で押せば、オイルパンが手の届く位置まで押し上がるようにしたエレベータの昇降路ピット装置を得る。【解決手段】昇降路ピットの底部に設置され、緩衝器６が設けられた緩衝器台１と、緩衝器台上に立設され、エレベータ昇降体を案内するガイドレール２と、ガイドレールを伝わって流下する潤滑油を受ける油受け板３と、油受け板の排油口に対応する位置に配置され、排出された潤滑油を溜める油回収用のオイルパン４と、緩衝器台に設けられ、保守作業時に操作されてオイルパンを上方かつ手前方向に持ち上げるオイルパン引き上げ装置６とを備える。【選択図】図２
2008024491.tif 000002
【特許請求の範囲】
【請求項１】
昇降路ピットの底部に設置され、緩衝器が設けられた緩衝器台と、
前記緩衝器台上に立設され、エレベータ昇降体を案内するガイドレールと、
前記ガイドレールを伝わって流下する潤滑油を受ける油受け板と、
前記油受け板の排油口に対応する位置に配置され、排出された潤滑油を溜める油回収用のオイルパンと、
前記緩衝器台に設けられ、保守作業時に操作されて前記オイルパンを上方かつ手前方向に持ち上げるオイルパン引き上げ装置と、
を備えたことを特徴とするエレベータの昇降路ピット装置。
【請求項２】
オイルパン引き上げ装置は、緩衝器台の側面に手前方向下向きに傾斜して設けられた長穴に挿入され、常時反手前方向上向きに引っ張られるように付勢された軸部と、前記軸部の一端から緩衝器台の側面に沿ってオイルパン設置方向に延長されたリンクと、前記リンクの先端に設けられ、オイルパンを支持するオイルパン支持枠と、前記軸部の他端から前記緩衝器台の側面に沿って手前方向斜め上方に延長された操作レバーと、この操作レバーの自由端側に設けられた操作ペダルとから構成され、保守作業時に前記ペダルを押し下げ操作することにより、前記軸部が長穴内を手前方向下向きに移動しながら回動することを特徴とする請求項１記載のエレベータの昇降路ピット装置。
【請求項３】
リンク及びオイルパン支持枠は長穴に挿通された軸部の一端により緩衝器台の内側に配置されており、操作レバー及び操作ペダルは長穴に挿通された軸部の他端により緩衝器台の外側に配置されていることを特徴とする請求項２記載のエレベータの昇降路ピット装置。
【請求項４】
緩衝器台の外側面に軸受け金具を設け、この軸受け金具に手前方向下向き傾斜して設けられた軸受けとしての長穴を形成し、前記長穴に常時上方に引っ張られるように付勢された軸部を挿入することにより、リンク、オイルパン支持枠、操作レバー及び操作ペダルを緩衝器台の外側に配置したことを特徴とする請求項２記載のエレベータの昇降路ピット装置。
【発明の詳細な説明】
【技術分野】
【０００１】
この発明は、エレベータの昇降路ピット装置に関するものである。
【背景技術】
【０００２】
一般的なエレベータの昇降路ピット装置においては、図１０に示すように、昇降路ピット２０の底部に緩衝器台１が設置され、緩衝器台１の上部にエレベータかご２３の昇降を案内するガイドレール２が立設して配置されている。スライド型ガイドシューを使用するエレベータでは、ガイドシューの摺動性を向上させるために、ガイドレール２に潤滑油を塗布した状態で使用している。なお、図１０において、６は緩衝器、２１は巻上機、２２は巻上げロープである。
従来のエレベータの昇降路ピット装置では、ガイドレールを伝わって流下した潤滑油を処理するために、ガイドレールと緩衝器台の間に油受け板を設置し、この油受け板の下方に油回収用のオイルパンを配置している。ガイドレールを伝わって流下した潤滑油は、油受け板を経てオイルパンに一時的に貯留される。そして、保守作業時にオイルパンを取り出して破棄するか、吸油材等を用いて破棄する。
【０００３】
また、従来技術として、保守作業用の長い取っ手を設けた取っ手付き台にオイルパンを載置して、油受け板の潤滑油排出位置に配置し、保守作業時に作業員が作業用スペースから手を伸ばして、取っ手を掴んでオイルパンを作業し易い位置に引き出し、溜まった潤滑油を破棄できるようにしたものが提案されている（例えば、特許文献１参照）。
【０００４】
【特許文献１】特開２００４−２１０５３６号公報
【発明の開示】
【発明が解決しようとする課題】
【０００５】
従来のエレベータの昇降路ピット装置では、緩衝器台に油受け板及びオイルパンを配置し、保守作業時にオイルパンを取り出して溜まった油を回収している。そして、特に最近需要を伸ばしている機械室レスエレベータにおいては、昇降路に巻上機を配置しているため、それに関係した巻上げロープが通るためのスペースが狭隘で、オイルパンに手が届かない場合がある。また、ピットが狭いために、身体がガイドレールや巻上げロープと接触し油汚れになるという問題があった。また、身体を屈める必要があり、作業中に腰を痛める原因となっている。
また、従来技術のエレベータの昇降路ピット装置では、それらの問題を少しは改善することができるが、オイルパンに長い棒状の取っ手を取り付けているので、狭いピット内ではオイルパンを扱い難く、オイルパン内の油を油回収容器に移し難いという問題があった。
【０００６】
この発明は上記のような課題を解決するためになされたもので、ガイドレールを伝わって流下する潤滑油をオイルパンに溜め、リンクを組み合わせた操作レバーを足で押せば、オイルパンが手の届く位置まで押し上がるようにしたエレベータの昇降路ピット装置を提供するものである。
【課題を解決するための手段】
【０００７】
この発明に係るエレベータの昇降路ピット装置は、昇降路ピットの底部に設置され、緩衝器が設けられた緩衝器台と、緩衝器台上に立設され、エレベータ昇降体を案内するガイドレールと、ガイドレールを伝わって流下する潤滑油を受ける油受け板と、油受け板の排油口に対応する位置に配置され、排出された潤滑油を溜める油回収用のオイルパンと、緩衝器台に設けられ、保守作業時に操作されてオイルパンを上方かつ手前方向に持ち上げるオイルパン引き上げ装置とを備えたものである。
【発明の効果】
【０００８】
この発明によれば、保守作業時に操作されてオイルパンを上方かつ手前方向に持ち上げるオイルパン引き上げ装置を設けたので、昇降路ピットが狭くても、身体がガイドレールや巻上げロープと接触し油汚れになることがない。また、身体を屈める必要がなく、廃油回収作業中に腰を痛めることがないという効果がある。
【発明を実施するための最良の形態】
【０００９】
実施の形態１.
図１はこの発明の実施の形態１におけるエレベータの昇降路ピット装置の緩衝器台を示す側面図、図２はこの発明の実施の形態１におけるエレベータの昇降路ピット装置のオイルパン引き上げ装置を示す拡大側面図、図３はこの発明の実施の形態１におけるエレベータの昇降路ピット装置のオイルパン引き上げ装置を示す拡大斜視図、図４はこの発明の実施の形態１における昇降路ピット装置のオイルパン引き上げ装置の動作手順を示す説明図である。
【００１０】
図において、１は昇降路ピット２０の底部に設置された緩衝器台、１ａは緩衝器台１の両サイド部、１ｂは緩衝器台１の両サイド部１ａに設けられたガイドレール固定部、１ｃは緩衝器台１の下部プレート、１ｄは下部プレート１ｃ上に設けられたＵ型アングル状の支持架台、２は緩衝器台１の支持架台１ｄ上に立設されたガイドレールで、ボルト５によりガイドレール固定部１ｂに締結固定されている。３はガイドレール２の下端部に設けられた油受け板で、ガイドレール２を伝わって流下した潤滑油を受けるために支持架台１ｄ上に載置されている。４はガイドレール２を伝わって流下した潤滑油を処理するために、油受け板３の排油口に対応する下方位置に配置された油回収用のオイルパンで、緩衝器台１の内側に配置されている。６は緩衝器台１に設けられた緩衝器、７は緩衝器台１の側面に設けられたオイルパン引き上げ装置である。このオイルパン引き上げ装置７は、緩衝器台１の側面に手前方向下向きに傾斜して設けられた軸受としての長穴８に挿入され、一端が緩衝器台１に取り付けられた引きバネ９により常時反手前方向上向きに引っ張られるように付勢された軸部７ａと、この軸部７ａの一端から緩衝器台１の内側面に沿ってオイルパン設置方向に延長された一本のリンク７ｂと、このリンク７ｂの先端に細い丸棒で枠状に形成され、オイルパン４の周縁部の少なくとも三方を支持するオイルパン支持枠７ｃ、７ｄと、上記軸部の他端から緩衝器台１の外側面に沿って手前方向の斜め上方に延長された操作レバー７ｅと、この操作レバー７ｅの自由端側を水平方向に折り曲げて形成した操作ペダル７ｆとから構成されている。なお、軸部７ａの両側の溝部には、左右一対のＣ型止め輪７ｇ及び座金７ｈが取り付けられている。
【００１１】
次に、昇降路ピット装置のオイルパン引き上げ装置の動作手順について、図４により説明する。
先ず、図４（ａ）に示すように、通常状態では、オイルパン４は緩衝器台１の底部に載置されており、ガイドレール２を伝わって流下する潤滑油は油受け板３を経てオイルパン４に溜められる。保守作業時に、作業員がオイルパン引き上げ装置７の操作ペダル７ｆに足１０を乗せて軽く踏むと、図４（ｂ）に示すように、軸部７ａが引きバネ９に抗して長穴８の内部を手前方向の下端部まで斜め下方に移動する。この移動作用により、オイルパン４はガイドレール２の下端部の油受け板３の排油口より離れる方向に移動するため、オイルパン４は油受け板３に干渉しない状態となる。更に、操作ペダル７ｆを押し下げることにより、図４（ｃ）に示すように、オイルパン４の引き上げが完了する。この状態でオイルパン４をオイルパン支持枠７ｃ、７ｄから取り外し、油回収容器に油を移し替える。空になったオイルパン４を再びオイルパン支持枠７ｃ、７ｄに戻し、操作ペダル７ｆを戻して保守作業を完了させることができる。
【００１２】
以上のように、この発明の実施の形態１によれば、リンクを組み合わせた操作レバーを足で押せば、オイルパンが手の届く位置まで押し上がるようにしたので、昇降路ピットが狭くても、身体がガイドレールや巻上げロープと接触し油汚れになることがない。また、身体を屈める必要がなく、廃油回収作業中に腰を痛めることがない。
【００１３】
実施の形態２.
図５はこの発明の実施の形態２におけるエレベータの昇降路ピット装置のオイルパン引き上げ装置を示す拡大斜視図、図６はこの発明の実施の形態２における昇降路ピット装置のオイルパン引き上げ装置の動作手順を示す説明図である。
【００１４】
この実施の形態２においては、オイルパン引き上げ装置７のリンク７ｂを、複数（図示では二個）で構成し、この二個のリンク７ｂの先端部に垂直方向に延びるオイルパン支持腕１５をピン１６により連結し、このオイルパン支持腕１５にオイルパン支持枠７ｃ、７ｄを取り付けたものである。また、二個のリンク７ｂの他端部にも垂直方向に延びるリンク支持腕１７をピン１６により連結している。これにより、持ち上げ位置にかかわらず常時オイルパン４を水平に保つことができる。また、リンク支持腕１７が傾くとオイルパン４が傾くので、これを防止するために、リンク支持腕１７の上端部に水平ストッパ１８を設け、操作ペダル７ｆを最初に踏んだ時の動きで、水平ストッパ１８が緩衝器台１の上面に当たり平行に保たれる。
これにより、オイルパン４は図６（ｂ）に示すように、引き上げても常時水平に保つことができるので、実施の形態１よりも高く上げることができる。
【００１５】
実施の形態３.
図７はこの発明の実施の形態３におけるエレベータの昇降路ピット装置のオイルパン引き上げ装置を示す部分拡大斜視図、図８はこの発明の実施の形態３における昇降路ピット装置のオイルパン引き上げ装置の動作を示す説明図である。
【００１６】
この実施の形態３においては、オイルパン引き上げ装置７の一本のリンク７ｂと、このリンク７ｂの先端に設けられ、オイルパン４を支持するオイルパン支持枠を変更したものである。すなわち、オイルパン支持枠１３をピン１２により回転可能に吊り下げ、オイルパン支持枠１３の下面におもり板１４を備えたものである。このおもり板１４の作用により水平に保つことができる。また、オイルパン４内の油を油回収容器に回収する場合、オイルパン４を支持枠１３から外さなくても、オイルパン４の下方に油回収容器を置き、オイルパン４を手で回転させれば油を容易に回収することができる。
【００１７】
実施の形態４.
図９はこの発明の実施の形態４におけるエレベータの昇降路ピット装置のオイルパン引き上げ装置を示す拡大斜視図である。
【００１８】
上記実施の形態１〜３では、緩衝器台１の内部にオイルパン４を配置した場合について説明したが、この実施の形態４においては、緩衝器台１の外側面にオイルパン４を配置した例を示すものである。図９に示すように、緩衝器台１の外側面に軸受け金具１９を取り付け、この軸受け金具１９に傾斜して設けた軸受けとしての長穴８にオイルパン引き上げ装置７の軸部７ａを挿入したものであり、実施の形態１とほぼ同様のオイルパン引き上げ装置を配置したものである。これにより、緩衝器台と昇降路壁の狭いスペースのオイルパンの油も容易に回収することができる。
【図面の簡単な説明】
【００１９】
【図１】この発明の実施の形態１におけるエレベータの昇降路ピット装置の緩衝器台を示す側面図である。
【図２】この発明の実施の形態１におけるエレベータの昇降路ピット装置のオイルパン引き上げ装置を示す拡大側面図である。
【図３】この発明の実施の形態１におけるエレベータの昇降路ピット装置のオイルパン引き上げ装置を示す拡大斜視図である。
【図４】この発明の実施の形態１における昇降路ピット装置のオイルパン引き上げ装置の動作手順を示す説明図である。
【図５】この発明の実施の形態２におけるエレベータの昇降路ピット装置のオイルパン引き上げ装置を示す拡大斜視図である。
【図６】この発明の実施の形態２における昇降路ピット装置のオイルパン引き上げ装置の動作手順を示す説明図である。
【図７】この発明の実施の形態３におけるエレベータの昇降路ピット装置のオイルパン引き上げ装置を示す部分拡大斜視図である。
【図８】この発明の実施の形態３における昇降路ピット装置のオイルパン引き上げ装置の動作を示す説明図である。
【図９】この発明の実施の形態４におけるエレベータの昇降路ピット装置のオイルパン引き上げ装置を示す拡大斜視図である。
【図１０】一般的なエレベータの昇降路ピット装置を示す斜視図である。
【符号の説明】
【００２０】
１  緩衝器台
１ａ  緩衝器台両サイド部
１ｂ  ガイドレール固定部
１ｃ  下部プレート
１ｄ  支持架台
２  ガイドレール
３  油受け板
４  オイルパン
５  ボルト
６  緩衝器
７  オイルパン引き上げ装置
７ａ  軸部
７ｂ  リンク
７ｃ、７ｄ  オイルパン支持枠
７ｅ  操作レバー
７ｆ  操作ペダル
７ｇ  Ｃ型止め輪
７ｈ  座金
９  引きバネ
１０  作業員の足
１２  ピン
１３  オイルパン支持枠
１４  おもり板
１５  オイルパン支持腕
１６  ピン
１７  リンク支持腕
１８  水平ストッパ
１９  軸受け金具
【図１】
2008024491.tif 000003
【図２】
2008024491.tif 000004
【図３】
2008024491.tif 000005
【図４】
2008024491.tif 000006
【図５】
2008024491.tif 000007
【図６】
2008024491.tif 000008
【図７】
2008024491.tif 000009
【図８】
2008024491.tif 000010
【図９】
2008024491.tif 000011
【図１０】
2008024491.tif 000012